(57)【特許請求の範囲】
【請求項１】
光源バルブと、該光源バルブからの光を前方に反射する反射面を有するリフレクタと、該リフレクタによって反射された光を前方に照射する投影レンズと、該投影レンズと前記リフレクタとを保持するフレーム部材と、を有するプロジェクタタイプのランプユニットと、
該プロジェクタタイプのランプユニットの前側に設けられたアウターレンズと、
該アウターレンズと、前記プロジェクタタイプのランプユニットの前側周囲との間に設けられたインナーパネルと、を備えた車両用灯具であって、
前記フレーム部材には、前記光源バルブからの直射光のうち、前記投影レンズと前記リフレクタとの間に照射される光を拡散するプリズム部を設け、
前記プリズム部は、
当該車両用灯具の光軸方向に延在する断面かまぼこ型の突条からなり、該突条が前記フレーム部材の内面周方向に複数連設した形状に構成され、
前記ランプユニットの内部において、前記投影レンズから前方に光を照射させる前に、前記フレーム部材における前記突条で光を拡散させることにより、前記投影レンズから前方に照射されて前記インナーパネルに入射させる光に含まれる反射光成分を低減させる
ことを特徴とする車両用灯具。
【請求項２】
光源バルブと、該光源バルブからの光を前方に反射する反射面を有するリフレクタと、該リフレクタによって反射された光を前方に照射する投影レンズと、該投影レンズと前記リフレクタとを保持するフレーム部材と、を有するプロジェクタタイプのランプユニットと、
該プロジェクタタイプのランプユニットの前側に設けられたアウターレンズと、
該アウターレンズと、前記プロジェクタタイプのランプユニットの前側周囲との間に設けられたインナーパネルと、を備えた車両用灯具であって、
前記フレーム部材の後端部の上側中央部分の周壁を径外方向に有段成形した有段成形部には、前記光源バルブからの直射光のうち、前記投影レンズと前記リフレクタとの間に照射される光を拡散するプリズム部を設け、
前記プリズム部は、
当該車両用灯具の光軸方向に延在する断面かまぼこ型の突条からなり、該突条が前記フレーム部材に有段成形された前記有段成形部の内面周方向に複数連設した形状に構成され、
前記ランプユニットの内部において、前記投影レンズから前方に光を照射させる前に、前記有段成形部における前記突条で光を拡散させることにより、前記投影レンズから前方に照射されて前記インナーパネルに入射させる光に含まれる反射光成分を低減させる
ことを特徴とする車両用灯具。
【発明の詳細な説明】
【技術分野】
【０００１】
本発明は、自動車のヘッドランプやフォグランプ等に用いられる車両用灯具、とりわけ、光源バルブの直射光およびリフレクタによる反射光を投影レンズで集光して、車両前方に照射するプロジェクタタイプの車両用灯具に用いて好適な車両用灯具に関する。
【背景技術】
【０００２】
図４は、従来のプロジェクタタイプの車両用灯具を示すもので、プロジェクタ型のランプユニット１と、ランプハウジングの前側に設けたアウターレンズ２と、ランプユニット１の前側周囲とアウターレンズ２との間に設けた装飾用（ぼろ隠し用）のインナーパネル（エクステンション）３と、を備えている。
【０００３】
ランプユニット１は、光源バルブ１０と、光源バルブ１０の出射光の一部を灯具前方に向けて反射するリフレクタ１１と、光源バルブ１０の直射光およびリフレクタ１１による反射光を集光して灯具前方に照射する投影レンズ１２と、所定の配光パターンを形成するシェード１３と、を備えている。
【０００４】
リフレクタ１１は凹型の反射面を有し、この反射面はレンズ中心軸線を中心軸とする回転楕円面または楕円を基本とする自由曲面に形成され、反射面の第１焦点またはその近傍に光源バルブ１０の発光部が設けられる。
【０００５】
投影レンズ１２は、略筒状のレンズフレーム１４の前端部分に抱持固定してあり、リフレクタ１１は、その前端の複数ヶ所を該レンズフレーム１４の後端にビス等の止着部材により取り付けるようにしている。
【０００６】
シェード１３は、このレンズフレーム１４の略下半部に構成され、図示する例では、固定シェード１３ａと、アクチュエータ１５によりロービーム形成，ハイビーム形成に応じて上下方向に移動制御される可動シェード１３ｂと、を備え、該可動シェード１３ｂはリフレクタ１１の反射面の第２焦点に配置されている。
【０００７】
レンズフレーム１４は、その後端部の上側中央部分の周壁を径外方向に有段成形してある。これにより、レンズフレーム１４の後端部上側中央の有段成形部１６とリフレクタ１１の前端部との間の開放部分から、ランプユニット１内の熱気をユニット外へ放出可能としている。
【０００８】
この類似構造は、例えば、特許文献１に示されている。
【先行技術文献】
【特許文献】
【０００９】
【特許文献１】特開２００４−２２８０２５号公報
【発明の概要】
【発明が解決しようとする課題】
【００１０】
光源バルブ１０の直射光が、例えば図４に示すようにレンズフレーム１４の有段成形部１６の内面に入射して、その反射光は矢印Ｌａに示すように投影レンズ１２を斜め下方に透過して下向きに屈折する。この反射光Ｌａが下側のインナーパネル３面に入射すると、ここで前方斜め上向きに反射して、グレア光等の上方有害光の原因となってしまう。
【００１１】
一方、特許文献１の開示技術では、上述の下側のインナーパネル３面上に、リフレクタからの反射光を灯具上方に向けて反射させる鋸歯状の突起を形成している。しかし、このような構成でも、投影レンズを透過してインナーパネル３面に入射した反射光は灯具上方に向けて反射するため、上方有害光の抑制効果が十分とは云えない。
【００１２】
そこで、本発明はレンズフレームの内面で反射する直射光による有害光の発生を抑制することができる車両用灯具を提供するものである。
【課題を解決するための手段】
【００１３】
本発明の車両用灯具にあっては、光源バルブと、該光源バルブからの光を前方に反射する反射面を有するリフレクタと、該リフレクタによって反射された光を前方に照射する投影レンズと、該投影レンズと前記リフレクタとを保持するフレーム部材と、を有するプロジェクタタイプのランプユニットと、該プロジェクタタイプのランプユニットの前側に設けられたアウターレンズと、該アウターレンズと、前記プロジェクタタイプのランプユニットの前側周囲との間に設けられたインナーパネルと、を備えた車両用灯具であって、前記フレーム部材には、前記光源バルブからの直射光のうち、前記投影レンズと前記リフレクタとの間に照射される光を拡散するプリズム部を設け、前記プリズム部は、当該車両用灯具の光軸方向に延在する断面かまぼこ型の突条からなり、該突条が前記フレーム部材の内面周方向に複数連設した形状に構成され、前記ランプユニットの内部において、前記投影レンズから前方に光を照射させる前に、前記フレーム部材における前記突条で光を拡散させることにより、前記投影レンズから前方に照射されて前記インナーパネルに入射させる光に含まれる反射光成分を低減させることを主要な特徴としている。
【発明の効果】
【００１４】
光源バルブからの直射光のうち、投影レンズとリフレクタとの間に照射される光はフレーム部材の内面に設けたプリズム部によって拡散される。
【００１５】
これにより、投影レンズを斜め方向に透過する反射光成分による有害光の発生を抑制することができる。
【図面の簡単な説明】
【００１６】
【図１】本発明の一実施形態を示す略示的断面説明図。
【図２】レンズフレームを後方斜め下方から見た斜視図。
【図３】図２のＡ範囲部の拡大断面図。
【図４】従来の構造を示す略示的断面説明図。
【発明を実施するための形態】
【００１７】
以下、本発明の一実施形態を図面と共に詳述する。
【００１８】
図１は、本発明の対象としているプロジェクタタイプの車両用灯具を示しており、図４に示した従来の構造と同一部分に同一符号を付して詳述する。
【００１９】
このプロジェクタタイプの車両用灯具は、プロジェクタ型のランプユニット１と、ランプハウジングの前側に設けたアウターレンズ２と、ランプユニット１の前側周囲とアウターレンズ２との間に設けた装飾用のインナーパネル３と、を備えている。
【００２０】
ランプユニット１は、光源バルブ１０と、光源バルブ１０の出射光の一部を灯具前方に向けて反射するリフレクタ１１と、光源バルブ１０の直射光およびリフレクタ１１による反射光を集光して灯具前方に照射する投影レンズ１２と、所定の配光パターンを形成するシェード１３と、を備えている。
【００２１】
リフレクタ１１は凹型の反射面を有し、この反射面はレンズ中心軸線を中心軸とする回転楕円面または楕円を基本とする自由曲面に形成され、反射面の第１焦点またはその近傍に光源バルブ１０の発光部が設けられる。
【００２２】
投影レンズ１２は、略筒状のレンズフレーム（フレーム部材）１４の前端部分に抱持固定してあり、リフレクタ１１は、その前端の複数ヶ所を該レンズフレーム１４の後端にビス等の止着部材により取り付けるようにしている。
【００２３】
シェード１３は、このレンズフレーム１４の略下半部に構成され、図示する例では、固定シェード１３ａと、アクチュエータ１５によりロービーム形成，ハイビーム形成に応じて上下方向に移動制御される可動シェード１３ｂと、を備え、該可動シェード１３ｂはリフレクタ１１の反射面の第２焦点に配置されている。
【００２４】
レンズフレーム１４は、その後端部の上側中央部分の周壁を径外方向に有段成形してある。これにより、レンズフレーム１４の後端部上側中央の有段成形部１６とリフレクタ１１の前端部との間の開放部分から、ランプユニット１内の熱気をユニット外へ放出可能としている。
【００２５】
レンズフレーム１４の内面には、光源バルブ１０からの直射光のうち、投影レンズ１２とリフレクタ１１との間に照射される光を拡散するプリズム部１７を設けている。
【００２６】
本実施形態では、レンズフレーム１４の後端部上側中央の有段成形部１６の内面に、図２，図３に示すようなプリズム部１７を設けてある。
【００２７】
プリズム部１７は、本実施形態では、ランプユニット１の光軸方向に延在する断面かまぼこ型（略半球状）の突条１７ａが、有段成形部１６の内面の周方向に複数連設した形状に構成してある。
【００２８】
以上の構成からなる本実施形態の車両用灯具によれば、光源バルブ１０の直射光のうち、リフレクタ１１の前側上部に存在するレンズフレーム１４の有段成形部１６の内面に設けたプリズム部１７に入射した直射光は、図１の矢印Ｌｂで示すようにプリズム部１７により拡散される。これにより、有段成形部１６の内面で反射して前方斜め下方に指向する反射光成分が低減される。
【００２９】
この結果、投影レンズ１２の下側前方に存在する下側のインナーパネル３の面上で斜め上向きに反射する上方有害光の発生を抑制することができる。
【００３０】
特に、本実施形態では、プリズム部１７を、ランプユニット１の光軸方向に延在する断面かまぼこ型の突条１７ａが、有段成形部１６の内面の周方向に複数連設した形状としているので、当該周方向（左右方向）への拡散効果が高く、前記前方斜め下方に指向する反射光成分の低減効果をより一層高めることができる。
【００３１】
また、このように有段成形部１６の内面の周方向に突条１７ａが複数連設したプリズム部１７を構成することにより、該有段成形部１６の下方からランプユニット１外へ抜ける熱気の熱拡散作用を良好にすることができる。
【００３２】
なお、レンズフレーム１４の内面のプリズム部１７は前記実施形態に限定されるものではなく、本発明の趣旨を逸脱しない範囲で種々変更可能である。例えば、プリズム部１７は、有段成形部１６を含む所要領域に拡大して設けてもよいし、あるいは側部内周面に設けてもよい。また、プリズム部１７の断面形状は、光源バルブ１０の直射光を拡散反射できる形状であればよく、前記断面かまぼこ型の連設形状に限るものではない。
【符号の説明】
【００３３】
１…ランプユニット
２…アウターレンズ
３…インナーパネル
１０…光源バルブ
１１…リフレクタ
１２…投影レンズ
１３…シェード
１４…レンズフレーム（リフレクタ前部の構造物）
１６…有段成形部
１７…プリズム部
１７ａ…突条
【図１】
0005810694.tif 000002
【図２】
0005810694.tif 000003
【図３】
0005810694.tif 000004
【図４】
0005810694.tif 000005